【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
複数の図柄が表示された所定数のリールを備え、複数の役の中から決定された当籤役に応じて前記リールの回転を停止させることにより前記図柄を停止表示させることで、前記リールを用いた遊技を進行する遊技機であって、
前記複数の役には、各リールの一つの図柄を表示する単位図柄表示領域を夫々結ぶ直線状のラインに沿って第１の図柄が並んで表示され得る特定役と、前記ラインに沿って第２の図柄が並んで表示され得る所定役と、が含まれるとともに、前記特定役には、第１特定役と第２特定役と、が含まれ、
複数の役の中から決定された当籤役に応じて、特典を付与可能な特典付与手段と、
停止操作を検出すると、複数の役の中から決定された当籤役に応じて、前記停止操作に対応するリールの回転を停止可能な停止制御手段と、
を更に備え、
前記停止制御手段は、
前記第１特定役が当籤役として決定されている場合、特定の順序かつ特定のタイミングで停止操作が行われると、所定数の前記リールのうちの特定数の前記リールを停止した時点において、前記ラインに沿って前記第１の図柄がテンパイし、前記第２の図柄がテンパイしないように前記リールの回転を停止し、
前記第２特定役が当籤役として決定されている場合、前記特定の順序かつ前記特定のタイミングで停止操作が行われると、所定数の前記リールのうちの特定数の前記リールを停止した時点において、前記ラインに沿って前記第１の図柄及び前記第２の図柄の双方がテンパイするように前記リールの回転を停止し、
前記複数の役には、前記特定の順序かつ前記特定のタイミングで停止操作が行われると、所定数の前記リールのうちの特定数の前記リールを停止した時点において、前記ラインに沿って前記第１の図柄及び前記第２の図柄の双方がテンパイ可能、かつ、前記特定役及び前記所定役の何れも入賞しない特別役が更に含まれ、
前記特典付与手段は、前記特別役が当籤役として決定される場合、前記特定役が当籤役として決定される場合よりも高い確率で前記特典を付与する
ことを特徴とする遊技機。
【請求項２】
前記第１特定役が当籤役として決定される確率と、前記第２特定役が当籤役として決定される確率とは、異なる確率である
ことを特徴とする請求項１に記載の遊技機。
【手続補正２】
【補正対象書類名】明細書
【補正対象項目名】０００４
【補正方法】変更
【補正の内容】
【０００４】
このリール停止制御に関して、特許文献１には、内部当籤役として決定された役に対応する図柄の組合せを構成する図柄最大滑り駒数の範囲内で最大限に引き込むようにした遊技機（いわゆる５号機）が開示されている。このような遊技機によれば、従来の遊技機（いわゆる４号機）で可能であった、内部当籤しているにも関わらず停止制御しない制御が廃され、対応する図柄の組合せを狙えば、内部当籤している役に応じた図柄の組合せを必ずそろえることができるため、公平な遊技を実現することができる。
【手続補正３】
【補正対象書類名】明細書
【補正対象項目名】０００５
【補正方法】変更
【補正の内容】
【０００５】
【特許文献１】特開２０１２−２００４９７号公報
【手続補正４】
【補正対象書類名】明細書
【補正対象項目名】０００６
【補正方法】変更
【補正の内容】
【０００６】
また、このような停止制御を行う遊技機として、近年、ベルなどの当籤確率の高い小役とスイカなどの当籤確率の低いレア役とが、第２停止時にテンパイしており、第３停止時に何れの役の入賞もなかったときにリーチ目となってボーナスなどの特典が確定する遊技機も知られている。しかしながら、小役とレア役とがテンパイする従来の制御では、遊技者の停止操作が煩雑になり煩わしいという問題があった。すなわち、小役とレア役とがテンパイした場合、遊技者は、レア役を取りこぼすことがないように停止操作を行うことになるが、ベルなどの小役は、レア役やボーナス役に比べて当籤確率が高いため、小役とレア役とがテンパイした場合には基本的にベルが入賞し、レア役の入賞やリーチ目が表示される可能性は少ない。従来の制御では、このような場合にまでレア役を取りこぼすことがない停止操作を行う必要があり、遊技者は煩わしさを感じてしまっていた。
【手続補正５】
【補正対象書類名】明細書
【補正対象項目名】０００７
【補正方法】変更
【補正の内容】
【０００７】
本発明はこのような問題に鑑みてなされたものであり、遊技者の停止操作を簡易にしつつも、停止出目に応じて遊技者が期待感を持つことの可能な遊技機を提供することを目的とする。
【手続補正６】
【補正対象書類名】明細書
【補正対象項目名】０００８
【補正方法】変更
【補正の内容】
【０００８】
本発明に係る遊技機は、複数の図柄が表示された所定数のリールを備え、複数の役の中から決定された当籤役に応じて前記リールの回転を停止させることにより前記図柄を停止表示させることで、前記リールを用いた遊技を進行する遊技機であって、前記複数の役には、各リールの一つの図柄を表示する単位図柄表示領域を夫々結ぶ直線状のラインに沿って第１の図柄が並んで表示され得る特定役と、前記ラインに沿って第２の図柄が並んで表示され得る所定役と、が含まれるとともに、前記特定役には、第１特定役と第２特定役と、が含まれ、複数の役の中から決定された当籤役に応じて、特典を付与可能な特典付与手段と、停止操作を検出すると、複数の役の中から決定された当籤役に応じて、前記停止操作に対応するリールの回転を停止可能な停止制御手段と、を更に備え、前記停止制御手段は、前記第１特定役が当籤役として決定されている場合、特定の順序かつ特定のタイミングで停止操作が行われると、所定数の前記リールのうちの特定数の前記リールを停止した時点において、前記ラインに沿って前記第１の図柄がテンパイし、前記第２の図柄がテンパイしないように前記リールの回転を停止し、前記第２特定役が当籤役として決定されている場合、前記特定の順序かつ前記特定のタイミングで停止操作が行われると、所定数の前記リールのうちの特定数の前記リールを停止した時点において、前記ラインに沿って前記第１の図柄及び前記第２の図柄の双方がテンパイするように前記リールの回転を停止し、前記複数の役には、前記特定の順序かつ前記特定のタイミングで停止操作が行われると、所定数の前記リールのうちの特定数の前記リールを停止した時点において、前記ラインに沿って前記第１の図柄及び前記第２の図柄の双方がテンパイ可能、かつ、前記特定役及び前記所定役の何れも入賞しない特別役が更に含まれ、前記特典付与手段は、前記特別役が当籤役として決定される場合、前記特定役が当籤役として決定される場合よりも高い確率で前記特典を付与することを特徴とする。
【手続補正７】
【補正対象書類名】明細書
【補正対象項目名】０００９
【補正方法】変更
【補正の内容】
【０００９】
また、本発明に係る遊技機において、前記第１特定役が当籤役として決定される確率と、前記第２特定役が当籤役として決定される確率とは、異なる確率であることを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
本発明によれば、遊技者の停止操作を簡易にしつつも、停止出目に応じて遊技者が期待感を持つことができる。
【手続補正１１】
【補正対象書類名】図面
【補正対象項目名】図２４２
【補正方法】変更
【補正の内容】
【図２４２】
2020081199.tif 000001